(57)【要約】      （修正有）【課題】  組立式建築物を実現化する、組立式部品及び工法の発明。【解決手段】  組立式部品の六角柱状体形状が組み合わせ（召し合わせ）を効率的にし、柱状体部材（壁、柱）板状部材（床、壁、柱）を形成する。接合用鋼材、ボルト、或いは接続用鋼材、他、に拠りそれらは力の伝達機構を構成し、且つ構造骨組を形成する。建築物は組立式部品の接合を三次元に展開、それらが集積することにより実現する。【選択図】  図１
2007092494.tif 000002
【特許請求の範囲】
【請求項１】
建築用組立式部品において、二つの鋭角、その角度６０°と四つの鈍角、その角度１５０°を持つ六角柱状体が形成されている組立式部品単体。
【請求項２】
建築用組立式部品単体において、材両端の位置に接合用ボルト穴を形成し、更に同様のボルト穴を形成した接合用鋼材或いは接続用綱材を接合する為の或いは接続する為の切り込み状のスリットを複数或いは単数形成した請求項１に記載の組立式部品単体。
【請求項３】
建築用組立式部品単体において、材両端の位置に接合用ボルト穴を形成し、更に同様のボルト穴を形成した接合用鋼材或いは接続用鋼材を接合或いは接続する為の切り込み状のスリットを複数或いは単数形成した請求項１に記載の組立式部品単体。
【請求項４】
請求項１、請求項２、又は請求項３に記載の組立式部品を使用する建築工法。
【発明の詳細な説明】
【技術分野】
【０００１】    本発明は建築に使用する組立式部品である
【背景技術】
【０００２】    在来工法鉄筋コンクリート造は、構造骨組として堅固で耐久性、耐震性に富む建築を実現する。【０００３】    堅固、耐久性、耐震性を保持しながら、構造物の骨組を細分化してこれを組立式部品に置換する事に依って、生産現場の効率化を実現する。
【発明の開示】
【発明が解決しようとする課題】
【０００４】    課題の１は建築構造骨組の効率的生産を実現化する、組立式部品の発明である。【０００５】    課題の２は組立式部品から成る構造骨組の力の伝達機構を実現化する、組立式部品の発明である。【０００６】    課題の３は組立式部品から成る構造骨組の力の伝達機構を実現化する、類別の組立式部品の発明である。【０００７】    課題の４は組立式工法の発明である。
【課題を解決するための手段】
【０００８】    課題の１を解決する手段として、発明の組立式部品は二つの鋭角と四つの鈍角を持つ六角柱状体を形成する。鋭角は６０°であり、鈍角は１５０°である【０００９】    課題の２を解決する手段として、発明の組立式部品は材両端の位置に接合用ボルト穴或いは埋設ナット等を形成し、更に同様に接合用ボルト穴を形成した鋼材他それと接合した複数の鋼材をその材軸の位置に一体にして形成する。又、接合用ボルト穴から位置をずらした材の縁の部分に半円柱形状の欠き取りを形成する。【００１０】    課題の３を解決する手段として、発明の組立式部品は材両端の位置に接合用ボルト穴及び切り込み形状のスリットを単数或いは複数形成し、更に接合用ボルト穴から位置をずらした材の縁の部分に半円柱形状の欠き取りを形成する。【００１１】    課題の４を解決する手段として、組立式部品を直列に接続し、或いは正三角形に、或いは多角形に組み合わせて接合し、それらを垂直方向に積み上げることであらゆる柱状体部材（壁、柱、）が得られる。又、正三角形が縦横に連続反転したとする二次元上の位置に接合を展開、集積することで板状部材（床、壁、梁）が得られる。
【発明の効果】
【００１２】    課題の１に対応する発明の効果は、組立式部品の組み合わせ（召し合わせ）を効率的に実現する事である。【００１３】    課題の２に対応する発明の効果は、壁、柱（柱状体部材）として、或いはトラス状の骨組（板状部材）として、それぞれに、建築構造骨組としての力の伝達機構を実現する事である。【００１４】    課題の３に対応する発明の効果は、類別の組立式部品に依る壁、柱（柱状体部材）として、或いはトラス状の骨組（板状部材）として、それぞれに、建築構造骨組としての力の伝達機構を実現する事である。【００１５】    課題の４に対応する発明の効果は、ボルト接合作業を主とした作業の集積に依って構造骨組を実現する事である。
【発明を実施するための最良の形態】
【００１６】    図１は組立式部品の明細図及び組立式部品に依る柱（柱状体部材）の組立要領図である。（Ａ）は組立式）部品の透視外観図である。（Ｂ）は組立式部品の平面図であり、（Ｃ）はその側面図であり、（Ｄ）はその短辺側面図である。又、（Ｅ）は柱（柱状体部材）の組立要領図である。【００１７】    図２は組立式部品に依る壁（柱状体部材）の組立要領図である。（Ａ）は平面図であり。（Ｂ）は透視図である。【００１８】    図３は類別の組立式部品に依る壁（柱状体部材）の組立要領図である。（Ａ）は平面図であり。（Ｂ）は透視図である。【００１９】    図４は組立式部品に依る床等（板状部材）の組立要領図である。（Ａ）は平面図であり（Ｂ）は透視図である。【００２０】    図５は類別の組立式部品に依る床等（板状部材）の組立要領図である。（Ａ）は平面図である。（Ｂ）は透視図であり、（Ｃ）は組立式部品単品の透視図である。【００２１】    図６は乾式工法の実施例である。（Ａ）は基礎を表現している。基礎以外の部分は組み上げられた構造骨組みである。【００２２】    図７は乾式工法の実施例である。図６のアレンジであり建築物のアプローチ部分に使用している。【００２３】    図８は湿式工法の実施例であり、コンクリートが流し込まれる前の状態である。【００２４】    図９は湿式工法の実施例であり、コンクリートが流し込まれた後の状態である。
【図面の簡単な説明】
【００２５】
【図１】は組立式部品の明細図であり、柱の組立要領を示した図である。
【００２６】
【図２】は組立式部品に依る壁の組立要領を示した図である。
【００２７】
【図３】は類別の組立式部品に依る壁の組立要領を示した図である。
【００２８】
【図４】は組立式部品に依る板状部材の組立要領を示した図である。
【００２９】
【図５】は類別の組立式部品の透視外観図及びそれに依る板状部材の組立要領を示した図である。
【００３０】
【図６】は組立式部品を使用した乾式工法の実施例を示す図である。
【００３１】
【図７】は組立式部品を使用した乾式工法の実施例を示す図である。
【００３２】
【図８】は組立式部品を使用した湿式工法の実施例を示す図であり、又その工程を示した図である。
【００３３】
【図９】は組立式部品を使用した湿式工法の実施例を示す図であり、又その工程を示した図である。
【符号の説明】
【００３４】（ａ）  鋭角部分。角度６０°
（ｂ）  鈍角部分。角度１５０°
（ｃ）  接合用ボルト穴及び埋設ナット
（ｄ）  角型溝
（ｅ）  円柱形欠き取り部分
（ｆ）  接合用鋼製板
（ｇ）  基礎より立ち上がる鋼材
（ｈ）  基礎
（ｉ）  接続用鋼製板
（ｊ）  切り込み形状スリット及びボルト穴
（ｋ）  接合用ボルト穴（防水シールド）
（ｌ）  接合用六角鋼製板
（ｍ）  切り込み形状スリット
【図１】
2007092494.tif 000003
【図２】
2007092494.tif 000004
【図３】
2007092494.tif 000005
【図４】
2007092494.tif 000006
【図５】
2007092494.tif 000007
【図６】
2007092494.tif 000008
【図７】
2007092494.tif 000009
【図８】
2007092494.tif 000010
【図９】
2007092494.tif 000011